(57)【特許請求の範囲】
【請求項１】
支持軸の先端に、該支持軸の延びる方向に長手方向を有する基台部を備えたマスカラ塗布具であって、
該基台部が、その長手方向に沿って凹状に湾曲する、まつ毛を押さえるための湾曲面と、該湾曲面に沿って設けられた多数の櫛歯からなる櫛歯列とを備えており、
前記櫛歯が、前記湾曲面の側縁の位置に、該湾曲面を延長するように設けられて、前記櫛歯列が形成されているマスカラ塗布具。
【請求項２】
支持軸の先端に、該支持軸の延びる方向に長手方向を有する基台部を備えたマスカラ塗布具であって、
該基台部が、その長手方向に沿って凹状に湾曲する、まつ毛を押さえるための湾曲面と、該湾曲面に沿って設けられた多数の櫛歯からなる櫛歯列とを備えており、
前記櫛歯が、前記湾曲面の幅方向の略中央部の位置に立設されて、前記櫛歯列が形成されており、
前記湾曲面に、幅方向へ延びる溝部及び山部が、長手方向へ交互に配置するように設けられているマスカラ塗布具。
【請求項３】
把持部を有し、該把持部の一端から延出した前記支持軸の先端に前記基台部を備えると共に、該把持部の他端から延出した支持軸の先端に、マスカラを塗布するための塗布部を備えている請求項１又は２に記載のマスカラ塗布具。
【発明の詳細な説明】
【技術分野】
【０００１】
本発明はマスカラ塗布具に関する。
【背景技術】
【０００２】
マスカラブラシとしては、例えば熱可塑性樹脂からなる複数のブラシ繊維束を、二条の金属芯線材によって挟持しながら、これらをらせん状に捻回することによって得られる、いわゆるスクリューブラシが知られている（特許文献１参照）。スクリューブラシとは別に、マスカラ液の塗布部が形成された塗布用ブラシと、櫛の歯状のコームが形成された整え用ブラシが一体になったマスカラブラシが提案されている（特許文献２参照）。また、マスカラ塗布具の塗布域を、支持棒の軸方向に弓なりに湾曲させ、その湾曲部に針状突起を設けると共に、その反対側に、塗布箇所を整えるための複数の溝を設けたものが提案されている（特許文献３参照）。しかし、これらのマスカラブラシにおけるまつ毛を整える部位は、マスカラ薬剤の塗布部に近接して設けられているので、当該部位によってまつ毛を整えようとしたときに、塗布部に付着していたマスカラ薬剤が意図せず転写してしまい、まつ毛のまわりを汚してしまうおそれがある。
【０００３】
これらのマスカラブラシとは別に、二剤収納型の容器に異なる二種の化粧料組成物を充填するようにしたマスカラ化粧用具が提案されている（特許文献４参照）。この化粧用具においては、蓋部の両端から支持部がそれぞれ延出しており、各支持部の先端に植毛チップ及びコームがそれぞれ取り付けられている。植毛チップは、トップコート用のマスカラ薬剤の塗布に用いられる。一方、コームはアンダーコート用のマスカラ薬剤の塗布に用いられる。したがって、この化粧用具には、マスカラ薬剤が塗布された後のまつ毛を整える部位は存在しない。
【０００４】
【特許文献１】特開昭６３−１４３００６号公報
【特許文献２】特開２００４−３２９９４６号公報
【特許文献３】特開２００５−１２５０２１号公報
【特許文献４】特開２００２−３２２０３１号公報
【発明の開示】
【発明が解決しようとする課題】
【０００５】
本発明の目的は、前述した従来技術のマスカラ塗布具よりも各種性能が一層向上したマスカラ塗布具を提供することにある。
【課題を解決するための手段】
【０００６】
本発明は、支持軸の先端に、該支持軸の延びる方向に長手方向を有する基台部を備えたマスカラ塗布具であって、
該基台部が、その長手方向に沿って凹状に湾曲する、まつ毛を押さえるための湾曲面と、該湾曲面に沿って設けられた多数の櫛歯からなる櫛歯列とを備えたマスカラ塗布具を提供するものである。
【発明の効果】
【０００７】
本発明のマスカラ塗布具によれば、マスカラ薬剤が塗布されたまつ毛の仕上がり性が良好になり、まつ毛をきれいにカールさせることができる。
【発明を実施するための最良の形態】
【０００８】
以下本発明を、その好ましい実施形態に基づき図面を参照しながら説明する。図１（ａ）には本発明の第１の実施形態のマスカラ化粧用具１０の斜視図が示されている。化粧用具１０は縦長であり、その横断面の形状が円形である略円柱状の形状をしている。図１（ａ）及び（ｂ）に示すように化粧用具１０は、第１及び第２のキャップ部１１，１２と、マスカラ塗布具２０とから構成されている。マスカラ塗布具２０は、円柱形状の把持部２１を有している。把持部２１はその長手方向の一端から延出する第１の支持軸２２を有している。これとともに把持部２１は、その長手方向の他端から延出する第２の支持軸２３を有している。第１の支持軸２２と第２の支持軸２３とは、それらの延びる方向が平行となるように把持部２１に取り付けられている。
【０００９】
第１の支持軸２２の先端には、マスカラ薬剤の塗布部２４が備えられている。一方、第２の支持軸２３の先端には、まつ毛の押さえ部２５が備えられている。これら塗布部２４及び押さえ部２５の詳細については後述する。
【００１０】
第１及び第２のキャップ部１１，１２はいずれも略筒状体である。第１及び第２のキャップ部１１，１２はその開口部にねじ山１１Ａ，１２Ａが形成されている。このねじ山１１Ａ，１２Ａは、マスカラ塗布具２０の把持部２１における内壁に形成されたねじ溝と螺合するようになっている。第１及び第２のキャップ部１１，１２が図１（ａ）に示すように把持部２１に螺合した状態においては、上述の塗布部２４及び押さえ部２５は、該第１及び第２のキャップ部１１，１２内に収容されるようになっている。
【００１１】
図１（ａ）に示す状態において、第２のキャップ部１２内には押さえ部２５が収容されている。一方、第１のキャップ部１１内には塗布部２４が収容されている。第１のキャップ部１１内にはマスカラ薬剤が充填されている。同図に示す状態において、該塗布部２４は第１のキャップ部１１内に充填されているマスカラ薬剤中に浸漬されている。このように、第１のキャップ部１１は、塗布部２４を保護するためのキャップとしての働きの他に、マスカラ薬剤を収容する容器としての働きも有している。
【００１２】
塗布部２４は、図１（ｂ）に示すように、いわゆるスクリュータイプのブラシと呼ばれる構造を有している。具体的には塗布部２４は、線材からなる芯材と、該芯材に保持された毛材とから構成されている。毛材は、芯材周囲から突出している。芯材の軸線方向から見ると、毛材は放射状に突出している。毛材は、例えば熱可塑性樹脂からなる複数のブラシ繊維束を、二条の金属芯線材（図示せず）によって挟持しながら、これらをらせん状に捻回することによって芯材に保持されている。尤も、塗布部２４の構造は、図１（ｂ）に示すスクリュータイプのブラシに限られず、マスカラブラシの塗布部として用いられている種々の構造を採用することができる。例えばフロッキータイプ、コイルタイプ、コームタイプ、ツリータイプ、カーブタイプ、グラマラスタイプ、つくしタイプ、ひょうたんタイプ、アシンメトリータイプのものを用いることもできる。
【００１３】
図１（ｂ）並びに図２（ａ）及び（ｂ）に示すように、押さえ部２５は基台部２６を有している。基台部２６は平面視して長手方向及びそれと直交する幅方向を有する縦長の細長い形状をしている。基台部２６の長手方向は、第２の支持軸２３の延びる方向と一致している。基台部２６は、その先端に向かうにつれて漸次細く（幅狭に）なっている。基台部２６は、第１の面２７及びそれと反対側に位置する第２の面２８を有する略板状の形状をしている。図２（ａ）に示すように、基台部２６は、該基台部２６の長手方向に沿って、第１の面２７側へ凹状に湾曲したアーチ状をしている。つまり第１の面２７は湾曲面になっている。これとともに基台部２６は、該基台部２６の幅方向に関しても、図２（ｂ）に示すように、第１の面２７側へ凹状に若干湾曲している。基台部２６は、例えば熱可塑性樹脂、熱硬化性樹脂、エラストマー樹脂などの軽量素材から構成されている。
【００１４】
押さえ部２５を構成する基台部２６は、その長手方向の長さが２０〜４０ｍｍ、特に２５〜３０ｍｍであることが、内眼角から外眼角にわたるまつ毛全体を一度に押さえることができる点から好ましい。また基台部２６は、その幅方向の長さが、最も広い部分において５〜８ｍｍ、特に６〜７．５ｍｍであることが、まつ毛の根元から毛先にわたる全体を押さえることができる点から好ましい。基台部２６の長手方向に沿う湾曲の程度、即ち、第１の面２７の長手方向に沿う湾曲の程度は、曲率半径で表して１５ｍｍ以上、特に２５ｍｍ以上であることが、瞼の湾曲に合わせてまつ毛を確実に押さえつけることができる点から好ましい。
【００１５】
先に述べたとおり、基台部２６はその幅方向に関して、第１の面２７側へ凹状に若干湾曲している。しかし、これに代えて、基台部２６は、実質的に平らになっていてもよく、あるいは基台部２６は、第１の面２７側へ向けて凸状に若干湾曲していてもよい。一方、基台部２６の第２の面２８側は、その幅方向に関して、外方へ向けて凸状に若干湾曲していてもよく、あるいは実質的に平らになっていてもよい。第１の面２７及び第２の面２８の幅方向についての湾曲に関し、これらの面２７，２８それぞれの曲率半径は好ましくは３ｍｍ以上、更に好ましくは５ｍｍ以上、一層好ましくは７．５ｍｍ以上である。第１の面２７側及び第２の面２８側それぞれの曲率半径は同じでもよく、あるいは異なっていてもよい。
【００１６】
基台部２６における第１の面２７には、多数の櫛歯２９が立設されている。各櫛歯２９は、第１の面２７の幅方向の略中央部に位置している。各櫛歯２９は、基台部２６の長手方向に沿って一列に整列している。それによって、第１の面２７には、一列の櫛歯列３０が形成されている。櫛歯列３０は、基台部２６の全長にわたって延びている。
【００１７】
各櫛歯２９は同形であり、先端に向かうにつれ先細となる略錐形の形状をしている。基台部２６の長手方向に関して隣り合う櫛歯２９のピッチは、等ピッチ又はランダムなピッチとすることができる。いずれの場合であっても、隣り合う櫛歯２９のピッチは０．４〜１．５ｍｍ、特に０．８〜１．２ｍｍであることが、後述するように、櫛歯列３０によるまつ毛のさばきを首尾良く行い得る点から好ましい。これに関連して、各櫛歯２９の高さは１．０〜２．０ｍｍ、特に１．２〜１．８ｍｍであることが好ましい。
【００１８】
櫛歯列３０においては、各櫛歯２９の先端を結ぶ仮想線を考えた場合、該仮想線が基台部２６の長手方向の湾曲形状と近似した湾曲形状となることが好ましい。該仮想線をこのような形状とするためには、各櫛歯２９を配置する位置を調整したり、各櫛歯２９の形状や大きさを調整したりすればよい。
【００１９】
図３に示すように、基台部２６における第１の面２７には、基台部２６の幅方向へ延びる溝部３１及び山部３２が、基台部２６の長手方向へ交互に配置するように設けられている。溝部３１及び山部３２は、基台部２６の幅方向の全長にわたり形成されている。第１の面２７をその幅方向からみたとき、山部３２は三角形の形状をしており、溝部３１は逆三角形の形状をしている。したがって、第１の面２７をその幅方向からみると、第１の面２７は波形の形状となっている。山部３２の高さは、櫛歯２９の高さよりも低いものである。山部３２の高さ、すなわち山部３２の頂点から溝部３１の最底部までの距離は、櫛歯２９の高さよりも低いことを条件として、０．５〜１．２ｍｍ、特に０．８〜１．０ｍｍであることが好ましい。隣り合う山部３２のピッチ及び隣り合う溝部３１のピッチは等ピッチ又はランダムなピッチとすることができる。いずれの場合であっても、隣り合う山部３２及び隣り合う溝部３１のピッチはそれぞれ独立に０．４〜１．５ｍｍ、特に０．８〜１．２ｍｍであることが、後述するように、櫛歯列３０によるまつ毛のさばきを首尾良く行い得る点から好ましい。
【００２０】
溝部３１及び山部３２の配置と、上述した櫛歯２９の配置との関係に関し、櫛歯２９は、山部３２の位置に立設されている。櫛歯２９は、基台部２６の長手方向において隣り合う山部３２それぞれの位置に一つずつ立設されている。換言すれば、基台部２６の長手方向において隣り合う櫛歯２９の間に、櫛歯２９が立設されていない山部３２が存在しないように、櫛歯２９が配置されている。尤も、櫛歯２９の配置はこれに限られず、例えば基台部２６の長手方向において隣り合う櫛歯２９の間に、櫛歯２９が立設されていない山部３２が一つ又は二つ以上存在するように櫛歯２９を配置してもよい。
【００２１】
本実施の塗布具２０においては、基台部２６を含む押さえ部２５が、把持部２１の一端から取り外し可能になっていてもよい。このためには、基台部２６が取り付けられている支持軸２３が、着脱可能に把持部２１に螺合されていればよい。押さえ部２５が取り外し可能になっていることで、該押さえ部２５が汚れた場合にこれを取り替えたり、洗浄したりすることができるという利点がある。
【００２２】
図４（ａ）〜（ｄ）には、本実施形態のマスカラ化粧用具１０を用いてマスカラ薬剤をまつ毛に塗布している状態が示されている。まず図４（ａ）に示すように、マスカラ塗布具２０の塗布部２４にマスカラ薬剤を貯留させた状態下に、該塗布部２４をまつ毛に当接させて塗布具２０を上方に移動させる。これによってまつ毛に薬剤を塗布する。この操作を、所望の量のマスカラ薬剤がまつ毛に塗布されるまで行う。
【００２３】
マスカラ薬剤が塗布されたまつ毛は、マスカラ薬剤の有する粘性によって、複数本が束になった状態になっている。そこで、束になった状態のまつ毛を一本一本分離させるための操作を次に行う。具体的には図４（ｂ）に示すように、マスカラ塗布具１０を左右反転させて、押さえ部２５を目元に近づける。そして押さえ部２５に設けられた櫛歯２９によって、まつ毛を下から上に向けて梳き上げる。まつ毛は、第１の面２７に形成されている溝部３１に案内され、櫛歯２９によってすかれる。この操作を所望の回数繰り返して、マスカラ薬剤によって束になっているまつ毛を分離させ、まつ毛にボリューム感を付与する。
【００２４】
次に、図４（ｃ）に示すように、押さえ部２５における第１の面２７をまつ毛に押し当てる。そして、しばしの間この押し当て状態を維持する。これによって、まつ毛にきれいなカールが付与され、仕上がり性が良好になる。この場合、押さえ部２５における第１の面２７は、瞼の湾曲形状にほぼ合致して長手方向へ凹状に湾曲しているので、内眼角から外眼角までの広い範囲にわたり、１回の操作でまつ毛を押し当てることができる。
【００２５】
また、まつ毛の下側に存在していたマスカラ薬剤の一部が、押さえ部２５による押さえつけでまつ毛の上側に移動する。更に、まつ毛の下側に存在していたマスカラ薬剤の一部が、押さえ部２５に転写されてまつ毛から除去される。これらの作用の結果、マスカラ薬剤はまつ毛の上側に偏在することになる。これによって、カールの形状が一層きれいになると共に、その形状が安定的に維持されるようになる。
【００２６】
押さえ部２５によってまつ毛を押し当てる場合には、特にまつ毛の先端域におけるまつ毛の下側を押し当てるようにすると、まつ毛の下側に存在していたマスカラ薬剤が上側に更に移動する。その結果、まつ毛が上方に向けて湾曲したカール形状が維持されやすくなるので好ましい。
【００２７】
図４（ｃ）に示す操作に起因して、複数本のまつ毛が再び束になった場合には、必要に応じ、図４（ｄ）に示すように、押さえ部２５に設けられた櫛歯２９によって、まつ毛を下から上に向けて再び梳き上げ、束になったまつ毛を分離させる。
【００２８】
このように本実施形態によれば、押さえ部２５の種々の部位を使い分けることで、まつ毛全体をきれいにカールさせることが可能となる。また、押さえ部２５が塗布部２４と別個に設けられており、該押さえ部２５はマスカラ薬剤中に浸漬された状態になっていないので、まつ毛を押さえるときに目の周囲をマスカラ薬剤で汚すことが防止される。しかも、押さえ部２５にはマスカラ薬剤が貯留されていないので、まつ毛を押さえる操作自体も行いやすい。
【００２９】
本実施形態のマスカラ化粧用具１０によって塗布されるマスカラ薬剤の種類に特に制限はなく、従来公知のものを塗布の対象とすることができる。特に、本出願人の先の出願に係る特開２００５−２６３７０２号公報や特開２００５−２９８４９７号公報に記載のマスカラ薬剤とマスカラ塗布具２０とを組み合わせて使
用することで、まつ毛に一層きれいなカールを付与することができる。
【００３０】
次に、本発明の第２の実施形態を、図５並びに図６（ａ）及び（ｂ）を参照しながら説明する。この実施形態に関し特に説明しない点については、先に述べた実施形態に関する説明が適宜適用される。図５並びに図６（ａ）及び（ｂ）において図１〜図４と同じ部材には同じ符号を付してある。
【００３１】
本実施形態の塗布具２０における押さえ部２５は、基台部２６を有している。基台部２６は、第１の実施形態と同様に、平面視して長手方向及びそれと直交する幅方向を有する縦長の細長い形状をしている。基台部２６の長手方向は、第２の支持軸２３の延びる方向と一致している。基台部２６は、その先端に向かうにつれて漸次細く（幅狭に）なっている。基台部２６は、第１の面２７及びそれと反対側に位置する第２の面２８を有する略板状の形状をしている。基台部２６は、該基台部２６の長手方向に沿って、第１の面２７側へ凹状に湾曲したアーチ状をしている。つまり第１の面２７は湾曲面になっている。
【００３２】
基台部２６の長手方向に沿う左右の側縁には、該側縁に沿って多数の櫛歯２９が設けられている。各櫛歯２９は、基台部２６の幅方向外方へ向けて突出している。これによって基台部２６の長手方向に沿う左右の側縁には、多数の櫛歯が一列に整列してなる櫛歯列３０が形成されている。櫛歯列３０は、基台部２６における長手方向の前端部２６Ａ及び後端部２６Ｂ間の位置にわたって延びている。
【００３３】
各櫛歯２９は、基台部２６における第１の面２７を延長するように設けられている。「第１の面２７を延長する」とは、第１の面２７と櫛歯２９との間に段差が生じないように櫛歯２９が設けられていることをいう。第１の面２７と櫛歯２９との間に段差が生じると、櫛歯２９によるまつ毛の梳き上げを首尾良く行いにくくなる。また、段差の部分に、余剰のマスカラ薬剤が付着し、付着したマスカラ薬剤によって目の周囲が汚れやすくなるおそれがある。
【００３４】
各櫛歯２９は同形であり、先端に向かうにつれ先細となる略三角形の板状の形状をしている。基台部２６の長手方向に関して隣り合う櫛歯のピッチは、等ピッチ又はランダムなピッチとすることができる。いずれの場合であっても、隣り合う櫛歯のピッチは０．４〜１．５ｍｍ、特に０．８〜１．０ｍｍであることが、後述するように、櫛歯列３０によるまつ毛のさばきを首尾良く行い得る点から好ましい。これに関連して、各櫛歯２９の高さは０．４〜２．０ｍｍ、特に０．８〜１．５ｍｍであることが好ましい。また各櫛歯２９の厚み（基台部２６の長手方向における櫛歯２９の長さ）は０．１〜１．０ｍｍ、特に０．３〜０．８ｍｍであることが好ましい。
【００３５】
各櫛歯列３０においては、各櫛歯２９の先端を結ぶ仮想線を考えた場合、該仮想線が基台部２６の幅方向外方へ向けて凸の滑らかな湾曲形状となるか、該仮想線が基台部２６の幅方向内方へ向けて凸の滑らかな湾曲形状となるか、又は該仮想線が基台部２６の延びる方向と平行な直線形状となることが好ましい。該仮想線をこのような形状とするためには、各櫛歯２９を配置する位置を調整したり、各櫛歯２９の形状や大きさを調整したりすればよい。
【００３６】
図６（ａ）及び（ｂ）には、本実施形態のマスカラ化粧用具１０を用いてマスカラ薬剤をまつ毛に塗布している状態が示されている。マスカラ薬剤をまつ毛に塗布する操作は、第１の実施形態に関して説明した図４（ａ）に示す操作と同じである。
【００３７】
次に図６（ａ）に示すように、マスカラ塗布具１０を左右反転させて、押さえ部２５を目元に近づける。そして押さえ部２５に設けられた櫛歯２９によって、まつ毛を下から上に向けて梳き上げる。櫛歯２９は、基台部２６の左右の側縁に設けられているので、マスカラ塗布具１０を左右のどちらの手で把持した場合でも、梳き上げの操作性が損なわれることはない。この梳き上げ操作によって、マスカラ薬剤によって束になっているまつ毛が分離して、まつ毛にボリューム感が付与される。
【００３８】
次に、図６（ｂ）に示すように、押さえ部２５における第１の面２７をまつ毛に押し当てる。そして、しばしの間この押し当て状態を維持する。これによって、まつ毛にきれいなカールが付与され、仕上がり性が良好になる。更に、必要に応じ、図６（ａ）及び（ｂ）に示す操作を繰り返し、まつ毛のカールの状態やボリューム感を調整する。
【００３９】
以上、本発明をその好ましい実施形態に基づき説明したが、本発明は前記実施形態に制限されない。例えば前記の各実施形態におけるマスカラ化粧用具は、把持部２１の両端がそれぞれ第１のキャップ部１１及び第２のキャップ部１２と螺合する構造になっていたが、これに代えて、図７に示すように、第１の把持部２１ａ及び第２の把持部２１ｂと、それぞれの把持部の長手方向の一端から延出する支持軸２２，２３と、該支持軸２２，２３の先端に取り付けられた塗布部２４及び押さえ部２５とを備える第１及び第２のマスカラ塗布具２０ａ，２０ｂを採用し、このマスカラ塗布具２０ａ，２０ｂを、中央に仕切部３３を有し、二室に区分され、かつ両端が開口した円筒形の収容体３４と組み合わせてマスカラ化粧用具１０となしてもよい。このマスカラ化粧用具１０においては、収容体３４の両端に設けられた開口部３４ａ，３４ｂを通じ、塗布部２４及び押さえ部２５が収容体３４２内に収容されるようになっている。
【００４０】
また前記実施形態においては、基台部２６の第１の面２７及び第２の面２８のいずれもが、該基台部２６の長手方向にわたって湾曲形状であったが、これに代えて、基台部２６における第２の面２８を平面状となしてもよい。
【００４１】
また、第１の実施形態の櫛歯列と第２の実施形態の櫛歯列とを組み合わせてもよい。
【００４２】
更に、本発明の塗布具はマスカラ薬剤をまつ毛に塗布するのに特に適したものであるが、これ以外にも例えば眉毛や頭髪の生え際に薬剤や化粧料を塗布するために用いることもできる。
【図面の簡単な説明】
【００４３】
【図１】図１（ａ）は、本発明のマスカラ化粧用具の一実施形態を示す斜視図であり、図１（ｂ）は、図１（ａ）に示すマスカラ化粧用具を分解して示す斜視図である。
【図２】図２（ａ）は、図１におけるIIａ−IIａ線断面図であり、図２（ｂ）は、図１におけるIIｂ−IIｂ線断面図である。
【図３】図３は、基台部における第１の面の要部拡大図である。
【図４】図４（ａ）ないし（ｄ）は、図１（ａ）及び（ｂ）に示すマスカラ化粧用具を用いてまつ毛にマスカラ薬剤を塗布する状態を示す説明図である。
【図５】図５は、本発明のマスカラ化粧用具におけるマスカラ塗布具の第２の実施形態を示す斜視図である。
【図６】図６（ａ）及び（ｂ）は、図５に示すマスカラ化粧用具を用いてまつ毛にマスカラ薬剤を塗布する状態を示す説明図である。
【図７】図７は、本発明の別の実施形態のマスカラ化粧用具を分解して示す斜視図（図１（ｂ）相当図）である。
【符号の説明】
【００４４】
１０  マスカラ化粧用具
１１  第１のキャップ部
１２  第２のキャップ部
２０  マスカラ塗布具
２１  把持部
２２  第１の支持軸
２３  第２の支持軸
２４  塗布部
２５  押さえ部
２６  基台
２７  第１の面
２８  第２の面
２９  櫛歯
３０  櫛歯列
【図１】
0005191763.tif 000002
【図２】
0005191763.tif 000003
【図３】
0005191763.tif 000004
【図４】
0005191763.tif 000005
【図５】
0005191763.tif 000006
【図６】
0005191763.tif 000007
【図７】
0005191763.tif 000008